(57)【特許請求の範囲】
【請求項１】
変身カー玩具であって、
カー（１０）の下部に任意のカード（２０）が付着されると、分離可能に結合された前記カー（１０）の胴体の一部が分離され、前記分離されたカー（１０）の胴体の一部が床面を加圧してカー（１０）を直立させまたは転覆させ、前記付着されたカード（２０）の裏面を露出させることを特徴とする、変身カー玩具。
【請求項２】
前記カー（１０）は、
上部ハウジング（１００）と下部ハウジング（２００）からなり、
前記下部ハウジング（２００）は、下部胴体部（２１０）と、該下部胴体部（２１０）に回転可能に結合された支持板（２２０）と、前記カード（２０）が付着した場合に、前記下部胴体部（２１０）と前記支持板（２２０）との前記結合を解除するロック解除動作を行う作動バー（２５０）とを備え、該作動バー（２５０）の前記ロック解除動作によって、走行中または停車中である前記カー（１０）を直立または転覆させるものであることを特徴とする、請求項１に記載の変身カー玩具。
【請求項３】
前記上部ハウジング（１００）は、前側に回転可能な複数のボンネット部（１２０、１３０）を有し、下部ハウジング（２００）の作動バー（２５０）がロック解除動作を行うと、前記ボンネット部（１２０）、（１３０）が分離されて開くことを特徴とする、請求項２に記載の変身カー玩具。
【請求項４】
前記上部ハウジング（１００）は、
車両形状の上部胴体部（１１０）と、
前記上部胴体部（１１０）の前面の一側に回転可能に結合された第１ボンネット部（１２０）と、
前記上部胴体部（１１０）の前面の他側に回転可能に結合された第２ボンネット部（１３０）と、
前記上部胴体部（１１０）に設けられ、カー（１０）を走行させる複数の車輪部１４０と、
前記下部ハウジング（２００）の作動バー（２５０）がロック解除されると、前記第１及び第２のボンネット部（１２０、１３０）が上部胴体部（１１０）を中心として回転して分離されるように弾性力を与えるボンネットトーションばね（１７０）と、
を有することを特徴とする、請求項３に記載の変身カー玩具。
【請求項５】
前記上部胴体部（１１０）は、
前記第１及び第２のボンネット部（１２０、１３０）をボンネット回転軸（１６０）を介して回転可能に結合させる複数の上部胴体ヒンジ部（１１１、１１２）と、
前記上部胴体部（１１０）の前側に形成され、前記第１及び第２のボンネット部（１２０、１３０）のロック解除用のボンネットラッチ（２５４）が貫通するロック部貫通孔（１１４）と、
を有することを特徴とする、請求項４に記載の変身カー玩具。
【請求項６】
前記下部ハウジング（２００）は、
一側に支持板（２２０）収納溝を形成した下部胴体部（２１０）と、
一側が前記下部胴体部（２１０）と支持板回転軸（２３０）を介して回転可能に設置された支持板（２２０）と、
前記下部胴体部（２１０）と支持板（２２０）との間に設けられ、前記支持板（２２０）が回転するように弾性力を与える支持板トーションばね（２４０）と、
前記下部胴体部（２１０）に回転可能に設けられ、カード（２０）が付着されると、前記支持板（２２０）及び上部ハウジング（１００）の一部がロック解除するように動作する作動バー（２５０）と、
前記作動バー（２５０）の先端に設けられ、前記カード（２０）と密着する接着部（２６０）と、
前記作動バー（２５０）と下部胴体部（２１０）との間に設けられ、前記作動バー（２５０）がロック状態を維持するように弾性力を与える作動バートーションばね（２８０）と、
を有することを特徴とする、請求項２に記載の変身カー玩具。
【請求項７】
前記下部胴体部（２１０）は、
前記支持板（２２０）が支持板回転軸（２３０）を中心として回転するように支持する下部胴体ヒンジ部（２１１）と、
前記作動バー（２５０）が作動バー回転軸（２７０）を中心として回転するように支持する作動バーヒンジ部（２１２）と、
接着部（２６０）がカード（２０）と密着するために貫通された下部胴体貫通孔（２１３）と、
前記支持板トーションばね（２４０）の一側が挿入されて支持される上部トーションばね挿入溝（２１４）と、
を有することを特徴とする、請求項６に記載の変身カー玩具。
【請求項８】
前記支持板（２２０）は、
前記下部胴体部（２１０）と支持板回転軸（２３０）を介して結合される支持板ヒンジ部（２２１）と、
前記支持板トーションばね（２４０）の一部が挿入されて支持される下部トーションばね挿入溝（２２２）と、
前記作動バー（２５０）の一部が挿入され、前記支持板（２２０）がロック状態を維持するように支持する支持板ロック溝（２２３）と、
を有することを特徴とする、請求項６に記載の変身カー玩具。
【請求項９】
前記作動バー（２５０）は、
一側が傾斜して形成された作動バー胴体（２５１）と、
前記作動バー胴体（２５１）の一側に接着部（２６０）が設けられるように、溝部を形成した接着部収納溝（２５２）と、
前記作動バー胴体（２５１）の他側に設けられ、前記支持板（２２０）がロック状態を維持するように支持する支持板ラッチ（２５３）と、
前記接着部収納溝（２５２）の上部に設けられ、上部ハウジング（１００）の胴体の一部がロック状態を維持するように支持するボンネットラッチ（２５４）と、
を有することを特徴とする、請求項６に記載の変身カー玩具。
【請求項１０】
前記作動バー（２５０）は、前記作動バー胴体（２５１）の他側の下部に一定の長さだけ延長されて設置され、流入するカード（２０）または前記カード（２０）の上面と接触すると、前記カード（２０）と接触部（２６０）が密着するように前記作動バー（２５０）を動作させる作動バーレバー（２５５）をさらに有することを特徴とする、請求項９に記載の変身カー玩具。
【請求項１１】
前記接着部（２６０）は、磁石、吸着板、粘性の接着剤のいずれか一つであることを特徴とする、請求項６に記載の変身カー玩具。
【請求項１２】
前記カード（２０）は、内部に磁性体または金属板を有することを特徴とする、請求項１に記載の変身カー玩具。
【請求項１３】
下部に任意のカード（２０）が付着されると、分離可能に結合されたカー（１０）の胴体の一部が分離され、前記分離されたカー（１０）の胴体の一部が床面を加圧し、カー（１０）を直立させまたは転覆させ、前記付着されたカード（２０）の裏面を露出させるカー（１０）と、
前記カー（１０）が任意の方向に走行するように加圧する発射台（３００）と、
を備える、変身カー玩具を用いた遊び装置。
【請求項１４】
前記発射台（３００）は、
内部に中空を形成した発射台胴体（３１０）と、
前記発射台胴体（３１０）の一側に一定の長さだけ延長されて設置され、カー（１０）が任意の方向に走行するように経路を提供するレール（３２０）と、
前記発射台胴体（３１０）の上部に設けられ、圧縮された加圧部（３４０）をロック解除させるボタン部（３３０）と、
前記発射台胴体（３１０）の内側に設けられ、水平方向に移動し、前記カー（１０）を加圧する加圧部（３４０）と、
前記発射台胴体（３１０）の内側に設けられ、前記加圧部（３４０）でカーを加圧するための弾性力を与えるコイルばね（３５０）と、
を有することを特徴とする、請求項１３に記載の変身カー玩具を用いた遊び装置。
【発明の詳細な説明】
【技術分野】
【０００１】
本発明は、変身カー玩具及びこれを用いた遊び装置に関する。
【背景技術】
【０００２】
変身玩具は、ロボット形状またはカー形状等からなる玩具胴体をいろいろ備え、これを組立て、ロボットまたはカー玩具に変身させるものであり、これは、一つの玩具で多様な形状を表現するので、子供が玩具を直接組み立てながら変身を通じて、多様な遊びを楽しむことができる長所がある。
【０００３】
一方、一般に知られている子供用カード遊びは、四角形状のカードの表面または裏面に遊び用絵またはキャレクタ等が印刷されており、所定のゲーム規則により、前記絵またはキャラクターが印刷されたカードを裏返して確認することにより、カード遊びを進行する。
【０００４】
このような子供用カード遊びは、カード利用者が床面にカードを並べた後、そのカードを手で裏返して確認する過程を経て行われるものであり、遊びが単純であり、子供の場合、容易に興味を失ってしまい、カードの表面に印刷された絵を集める機能以外は、別の機能がない。
【発明の概要】
【発明が解決しようとする課題】
【０００５】
本発明は、上記問題点に鑑みなされたものであり、その目的は、カー玩具が走行可能に動力を提供し、カーの走行過程において任意のカードが付着されると、そのカードを裏返して見せるように形態を自動で変形する変身カー玩具及びこれを用いた遊び装置を提供することにある。
【課題を解決するための手段】
【０００６】
上述した目的を達成するために、本発明は、変身カー玩具であって、カーの下部に任意のカードが付着されると、分離可能に結合された前記カーの胴体の一部が分離され、前記分離されたカーの胴体の一部が床面を加圧してカーを直立させまたは転覆させ、前記付着されたカードの裏面を露出させることを特徴とする。
【０００７】
また、本発明による前記カーは、車輪が設けられた上部ハウジングと、前記上部ハウジングの下部に設けられ、前記カードが付着されると、作動バーがロック解除動作を行い、下部胴体部の底面に回転可能に結合された支持板を底面から分離させ、走行中または停車中であるカーを直立または転覆させる下部ハウジングと、を備えることを特徴とする。
【０００８】
また、本発明による前記上部ハウジングは、前側に回転可能な複数のボンネット部を有し、下部ハウジングの作動バーがロック解除動作を行うと、前記ボンネット部が分離されて開くことを特徴とする。
【０００９】
また、本発明による前記上部ハウジングは、車両形状の上部胴体部と、前記上部胴体部の前面の一側に回転可能に結合された第１のボンネット部と、前記上部胴体部の前面の他側に回転可能に結合された第２のボンネット部と、前記上部胴体部に設けられ、カーを走行させる複数の車輪部と、下部ハウジングの作動バーがロック解除されると、前記第１及び第２のボンネット部が前記胴体部を中心として回転して分離されるように弾性力を与えるボンネットトーションばねと、を有することを特徴とする。
【００１０】
また、本発明による前記上部胴体部は、前記第１及び第２のボンネット部をボンネット回転軸を介して回転可能に結合させる複数の上部胴体ヒンジ部と、前記上部胴体部の前側に形成され、前記第１及び第２のボンネット部のロック解除のためのボンネットラッチが貫通するロック部貫通孔と、を有することを特徴とする。
【００１１】
また、本発明による前記下部ハウジングは、一側に支持板収納溝を形成した下部胴体部と、一側が前記下部胴体部と支持板回転軸を介して回転可能に設置された支持板と、前記下部胴体部と支持板との間に設けられ、前記支持板が回転するように弾性力を与える支持板トーションばねと、前記下部胴体部に回転可能に設けられ、カードが付着されると、前記支持板及び上部ハウジングの一部がロック解除するように動作する作動バーと、前記作動バーの先端に設けられ、前記カードと密着する接着部と、前記作動バーと下部胴体部との間に設けられ、前記作動バーがロック状態を維持するように弾性力を与える作動バートーションばねと、を有することを特徴とする。
【００１２】
また、本発明による前記下部胴体部は、前記支持板が支持板回転軸を中心として回転するように支持する下部胴体ヒンジ部と、前記作動バーが作動バー回転軸を中心として回転するように支持する作動バーヒンジ部と、接着部がカードと密着するために貫通された下部胴体貫通孔と、前記支持板トーションばねの一側が挿入されて支持される上部トーションばね挿入溝と、を有することを特徴とする。
【００１３】
また、本発明による前記支持板は、前記下部胴体部と支持板回転軸を介して結合されるトーションばね挿入溝と、前記支持板トーションばねの一部が挿入されて支持される下部トーションばね挿入溝と、前記作動バーの一部が挿入され、前記支持板がロック状態を維持するように支持する支持板ロック溝と、を有することを特徴とする。
【００１４】
また、本発明による前記作動バーは、一側が傾斜して形成された作動バー胴体と、前記作動バー胴体の一側に接着部が設けられるように、溝部を形成した接着部収納溝と、前記作動バー胴体の他側に設けられ、前記支持板がロック状態を維持するように支持する支持板ラッチと、前記接着部収納溝の上部に設けられ、上部ハウジングの胴体の一部がロック状態を維持するように支持するボンネットラッチと、を有することを特徴とする。
【００１５】
また、本発明による前記作動バーは、前記作動バー胴体の他側の下部に一定の長さだけ延長され、流入するカードまたは前記カードの上面と接触すると、前記カードと接触部が密着するように前記作動バーを動作させる作動バーレバーと、を有することを特徴とする。
【００１６】
また、本発明は、前記接着部は、磁石、吸着板、粘性の接着剤のいずれか一つであることを特徴とする。
【００１７】
また、本発明は、前記カードは、内部に磁性体または金属板を有することを特徴とする。
【００１８】
また、本発明は、変身カー玩具を用いた遊び装置であって、下部に任意のカードが付着されると、分離可能に結合された前記カーの胴体の一部が分離され、前記分離されたカーの胴体の一部が床面を加圧し、カーを直立させまたは転覆させ、前記付着されたカードの裏面を露出させるカーと、前記カーが任意の方向に走行するように加圧する発射台と、を備える。
【００１９】
また、本発明による前記発射台は、内部に中空を形成した発射台胴体と、前記発射台胴体の一側に一定の長さだけ延長されて設置され、カーが任意の方向に走行するように経路を提供するレールと、前記発射台胴体の上部に設けられ、圧縮された加圧部をロック解除させるボタン部と、前記発射台胴体の内側に設けられ、水平方向に移動し、前記カーを加圧する加圧部と、前記発射台胴体の内側に設けられ、前記加圧部でカーを加圧するための弾性力を与えるコイルばねと、を有することを特徴とする。
【発明の効果】
【００２０】
本発明によれば、カー玩具の自動走行過程において、任意のカードが感知されると、そのカードを裏返して見せるように形態を自動で変形し、カード遊びと一緒に子供の興味を誘発することができる。
【００２１】
また、カー玩具が走行するように動力を与えることにより、ゲームを様々な形態に変形して進行し、ゲームの楽しみとカーの活用をさらに向上させることができる。
【図面の簡単な説明】
【００２２】
【図１】本発明による変身カー玩具を示す斜視図である。
【図２】図１による変身カー玩具の構成を示す一部分解斜視図である。
【図３】図１による変身カー玩具の構造を示す分解斜視図である。
【図４】図１による変身カー玩具の構造を示す断面図である。
【図５】図４による変身カーの作動バーの構造を示す断面図である。
【図６】図１による変身カー玩具の動作状態を示す断面図である。
【図７】図１による変身カー玩具の動作状態を示す底面斜視図である。
【図８】図１による変身カー玩具の動作過程を示す斜視図である。
【図９】本発明による変身カー玩具を用いた遊び装置を示す斜視図である。
【図１０】図９による変身カー玩具を用いた遊び装置の発射台の構成を示す断面図である。
【図１１】図９による変身カー玩具を用いた遊び装置の動作状態を示す斜視図である。
【発明を実施するための形態】
【００２３】
以下、添付した図面に基づき、本発明の好適な実施例について詳述する。
【００２４】
（カー）
図１は、本発明による変身カー玩具を示す斜視図であり、図２は、図１による変身カー玩具の構成を示す一部分解斜視図であり、図３は、図１による変身カー玩具の構造を示す分解斜視図であり、図４は、図１による変身カー玩具の構造を示す断面図であり、図５は、図４による変身カーの作動バーの構造を示す断面図であり、図６は、図１による変身カー玩具の動作状態を示す断面図であり、図７は、図１による変身カー玩具の動作状態を示す底面斜視図である。
【００２５】
図１乃至図７に示すように、本発明による変身カー玩具は、カー１０とカード２０で構成され、カー１０の底面に前記カード２０が付着されると、分離可能に結合された前記カー１０の胴体の一部が分離されるとともに、前記カー１０を直立させまたは転覆させ、前記付着されたカード２０の裏面を露出させるようにし、前記カー１０は、上部ハウジング１００と下部ハウジング２００とで構成される。
【００２６】
前記カード２０は、四角形状の部材であって、任意のキャラクターまたはゲーム情報等が印刷された表面には、コート層が形成され、内部には、磁性体または金属板部材を有して構成される。
【００２７】
前記上部ハウジング１００は、複数のボンネット部１２０、１３０が、下部ハウジング２００のロック解除手段により、ロック状態が解除されると、上部ハウジング１００から分離され、略「Ｖ」字状に開くように構成され、上部胴体部１１０と、第１ボンネット部１２０と、第２ボンネット部１３０と、複数の車輪部１４０と、ボンネットトーションばね１７０と、で構成される。
【００２８】
前記上部胴体部１１０は、車両形状の部材であって、前記第１及び第２のボンネット部１２０、１３０を、ボンネット回転軸１６０を介して回転可能に結合させる複数の上部胴体ヒンジ部１１１、１１２と、前記第１及び第２のボンネット部１２０、１３０がロック解除され、カー１０の両側に開くと、露出する内部胴体部１１３と、前記内部胴体部１１３を貫通し、前記第１及び第２のボンネット部１２０、１３０がロックまたは解除されるように、作動バー２５０のボンネットラッチ２５４が貫通するロック部貫通孔１１４と、で構成される。
【００２９】
前記第１ボンネット部１２０は、上部胴体部１１０の前面の一側に形成された上部胴体ヒンジ部１１２に、ボンネット回転軸１６０とボンネットトーションばね１７０を介して回転可能に結合され、作動バー２５０のボンネットラッチ２５４と噛み合わされるボンネットロック部１２１が形成される。
【００３０】
前記ボンネットロック部１２１は、第１ボンネット部１２０の下部に設けられ、前記ボンネットラッチ２５４と噛み合い、前記第１ボンネット部１２０がロック状態を維持するように固定し、前記ボンネットラッチ２５４が、例えば、前記上部胴体部１１０の下方向に移動すると、ボンネットトーションばね１７０の弾性力により、ボンネット回転軸１６０を中心として回転し、上部胴体部１１０の外側に開く。
【００３１】
前記第２ボンネット部１３０は、上部胴体部１１０の前面の他側に形成された上部胴体ヒンジ部１１１に、ボンネット回転軸１６０とボンネットトーションばね１７０を介して回転可能に結合され、作動バー２５０のボンネットラッチ２５４と噛み合わされるボンネットロック部１３１が形成される。
【００３２】
前記ボンネットロック部１３１は、第２ボンネット部１３０の下部に設けられ、前記ボンネットラッチ２５４と噛み合い、前記第２ボンネット部１３０がロック状態を維持するように固定し、前記ボンネットラッチ２５４が、例えば、上部胴体部１１０の下方向に移動すると、ボンネットトーションばね１７０の弾性力により、ボンネット回転軸１６０を中心として前記第１ボンネット部１２０と反対方向に回転して開く。
【００３３】
前記第１及び第２のボンネット部１２０、１３０は、作動バー２５０のボンネットラッチ２５４により、ロック状態で一つの構成を維持し、ロック解除となると、２つに分離される。
【００３４】
前記車輪部１４０は、上部胴体部１１０に車輪回転軸１５０を介して結合され、子供がカー１０を走行させることができるようにする。
【００３５】
前記ボンネットトーションばね１７０は、ボンネット回転軸１６０に設けられ、前記第１及び第２のボンネット部１２０、１３０のロックが解除されると、上部胴体部１１０の半径方向に回転して開くように弾性力を与える。
【００３６】
前記下部ハウジング２００は、上部ハウジング１００の下部に設けられ、カード２０が付着されると、作動バー２５０がロック解除動作を行い、下部胴体部２１０の底面に回転可能に結合された支持板２２０が、前記下部胴体部２１０から分離され、床面を加圧することにより、走行中または停車中のカー１０を直立または転覆させ、下部胴体部２１０と、支持板２２０と、支持板トーションばね２４０と、作動バー２５０と、接着部２６０と、作動バートーションばね２８０とで構成される。
【００３７】
前記下部胴体部２１０は、一側には、支持板２２０が収納される収納溝と、下部胴体ヒンジ部２１１と、上部トーションばね挿入溝２１４とが形成され、他側には、作動バーヒンジ部２１２と、下部胴体貫通孔２１３とが形成される。
【００３８】
前記下部胴体ヒンジ部２１１は、下部胴体部２１０の一側先端に形成され、貫通孔２１１’に挿入された支持板回転軸２３０を中心として支持板２２０と回転可能に結合され、支持板トーションばね２４０が設けられる。
【００３９】
前記作動バーヒンジ部２１２は、下部胴体部２１０の他側に設けられ、作動バー２５０が作動バー回転軸２７０を中心として回転可能に設けられ、前記作動バー２５０を下部胴体部２１０に支持させる。
【００４０】
前記下部胴体貫通孔２１３は、下部胴体部２１０の他側の底面に一定の大きさで穿孔され、接着部２６０を、前記下部胴体貫通孔２１３を貫通してカード２０に付着させる。
【００４１】
前記上部トーションばね挿入溝２１４は、前記支持板２２０が収納される収納溝の上面に形成され、支持板回転軸２３０に設けられた支持板トーションばね２４０が弾性支持されるように、前記支持板トーションばね２４０の一側を挿入して固定させる。
【００４２】
前記支持板２２０は、下部胴体部２１０の底面に設けられる板状の部材であって、一側の先端部に形成された支持板ヒンジ部２２１が、前記下部胴体部２１０の下部胴体ヒンジ部２１１と支持板回転軸２３０を介して回転可能に連結され、支持板トーションばね２４０の弾性力により、支持板２２０が床面３０を加圧すると、前記弾性力によりカー１０の前面から持ち上げられ、直立させまたはカー１０の全体を転覆させる。
【００４３】
また、前記支持板２２０には、下部トーションばね挿入溝２２２が形成され、支持板回転軸２３０に設けられた支持板トーションばね２４０が弾性支持されるように、前記支持板トーションばね２４０の他側を挿入して固定させる。
【００４４】
また、前記支持板２２０は、他側の先端に支持板ロック溝２２３が形成され、作動バー２５０によるロック状態が維持されるように、前記作動バー２５０の支持板ラッチ２５３と噛み合わされる。
【００４５】
前記作動バー２５０は、下部胴体部２１０の作動バーヒンジ部２１２と作動バー回転軸２７０を中心として回転可能に結合され、カード２０が付着されると、回転しながら、支持板２２０及び上部ハウジング１００の第１及び第２のボンネット部１２０、１３０がロック解除されるように動作し、作動バー胴体２５１と、接着部収納溝２５２と、支持板ラッチ２５３と、ボンネットラッチ２５４と、作動バーレバー２５５と、で構成される。
【００４６】
前記作動バー胴体２５１は、任意の貫通孔を中心として一側が傾斜して形成された棒状の部材であって、前記貫通孔が、下部胴体部２１０の作動バーヒンジ部２１２と作動バー回転軸２７０を中心としてシーソーのように一定の範囲内で定回転または逆回転可能に設けられる。
【００４７】
前記接着部収納溝２５２は、作動バー胴体２５１の一側に設けられ、接着部２６０が設けられるようにする構成であって、前記接着部２６０は、磁石、吸着板、粘性を有する接着剤のいずれか一つで構成され、好ましくは、磁石で構成され、より好ましくは、ネオジム磁石からなる。
【００４８】
前記支持板ラッチ２５３は、作動バー胴体２５１の他側に設けられ、支持板２２０の支持板ロック溝２２３と噛み合わされる構成であって、前記支持板ラッチ２５３の先端には、所定の突起が形成され、ロック状態で、前記支持板ロック溝２２３と噛み合わされた状態を維持することができる。
【００４９】
前記ボンネットラッチ２５４は、接着部収納溝２５２の上部から一定の長さだけ延長された一対の固定部材であって、前記ボンネットラッチ２５４の先端部には、所定の突起が形成され、第１及び第２のボンネット部１２０、１３０のボンネットロック部１２１、１３１と噛み合わされる。
【００５０】
すなわち、前記ボンネットラッチ２５４は、内部胴体部１１３のロック部貫通孔１１４を貫通し、前記第１及び第２のボンネット部１２０、１３０と噛み合わされることにより、前記第１及び第２のボンネット部１２０、１３０がロック状態を維持可能にする。
【００５１】
前記作動バーレバー２５５は、作動バー胴体２５１の他側の下部に一定の長さだけ延長されて設置され、カー１０の下部にカード２０が流入すると、前記カード２０またはカード２０の上面と接触されながら、前記作動バー胴体２５１の一部を作動バー回転軸２７０を中心として上方向に回転させ、結果的に接着部２６０が下方向に移動し、カード２０を容易に付着させる。
【００５２】
前記作動バートーションばね２８０は、下部胴体部２１０の作動バーヒンジ部２１２と作動バー２５０が結合された作動バー回転軸２７０に設けられ、前記作動バー２５０がロック状態を維持可能に一定の大きさの弾性力を与える。
【００５３】
図８は、図１による変身カー玩具の動作過程を示す斜視図であり、本発明による変身カーの動作過程を図３及び図８を参照して説明する。
【００５４】
カー１０が走行する過程において、図８（ａ）のように、カード２０の上面を通ると、カー１０の下部に設けられた接着部２６０がカード２０と付着するようになる。
【００５５】
このとき、前記接着部２６０には、磁石が設けられ、前記カード２０の内部には、磁性体や金属板が設けられ、磁気場による引力により、互いに付着し、前記カード２０と接着部２６０との付着により、作動バートーションばね２８０の弾性力により支持されていたロック状態が解除される。
【００５６】
また、前記カード２０と接着部２６０との付着がさらに容易に行われるように、作動バーレバー２５５がカード２０の上面に位置すると、前記作動バーレバー２５５により、作動バー２５０の一側が上方向に移動し、それにより、接着部２６０が設けられた前記作動バー２５０の他側が下方向に移動し、カード２０とさらによく付着するようになる。
【００５７】
前記カード２０と接着部２６０とが付着し、作動バー２５０によるロックが解除されると、作動バー２５０に設けられたボンネットラッチ２５４は、前記接着部２６０が下方向に移動することにより、下側に移動し、ボンネットロック部１２１、１３１との噛合い状態が解除されることにより、第１ボンネット部１２０と第２ボンネット部１３０はロック解除され、図８（ｂ）、図８（ｃ）のように、両側に分離され開くようになる。
【００５８】
また、前記カード２０と接着部２６０とが付着すると、作動バー２５０に設けられた支持板ラッチ２５３は、作動バーレバー２５５により、上方向に移動し、それにより、前記支持板ラッチ２５３も一緒に上側に移動し、支持板ロック溝２２３との噛合い状態が解除されることにより、支持板２２０がロック解除され、図８（ｂ）、図８（ｃ）のように、カー１０の下部から分離され、床面を加圧するようになる。
【００５９】
このとき、前記支持板２２０が床面を加圧するように弾性力を与える支持板トーションばね２４０は、持続的な弾性力を与え、図８（ｄ）のように、支持板２２０が略９０度回動すると、カー１０が直立した状態となり、前記支持板２２０が９０度以上回動すると、図８（ｅ）のようにカー１０が完全に転覆した状態となる。
【００６０】
前記カー１０が直立した状態では、カー１０の前面にある使用者のみがカード２０の内容が確認され、前記カー１０が転覆した状態では、全ての人がカード２０の内容が確認される。
【００６１】
また、前記カー１０が直立した状態または転覆した状態は、支持板トーションばね２４０が任意の弾性力を有するように選択して構成としてもよく、カー１０の上部胴体部１１０の下端に、直立した状態を維持可能に、別途の支持部（図示せず）をさらに構成してもよく、前記支持板２２０が任意の角度（例えば、９０度）以上回転することを防止するように角度を設定し、カー１０が直立した状態を維持するようにしてもよい。
【００６２】
前記直立したカー１０または転覆したカー１０からカード２０を提供すると、接着部２６０に発生していた磁気場が消え、作動バー２５０は、支持板トーションばね２４０の弾性力により原位置に戻される。
【００６３】
前記作動バー２５０が原位置に戻されることにより、支持板ラッチ２５３とボンネットラッチ２５４も一緒に原位置され、この際、支持板２２０を原位置させ、支持板ラッチ２５３と支持板ロック溝２２３を噛み合わせ、第１及び第２のボンネット部１２０、１３０を原位置させ、ボンネットラッチ２５４とボンネットロック部１２１、１３１を噛み合い、ロック状態で原位置させる。
【００６４】
したがって、カードが感知されると、そのカードを裏返して見せるように、自動で形状を変形することにより、カード遊びの楽しみをさらに増加させ、子供の興味を誘発するようになる。
【００６５】
（遊び装置）
図９は、本発明による変身カー玩具を用いた遊び装置を示す斜視図であり、図１０は、図９による変身カー玩具を用いた遊び装置の発射台の構成を示す断面図であり、図１１は、図９による変身カー玩具を用いた遊び装置の動作状態を示す斜視図である。
【００６６】
図９乃至図１１に示すように、本発明による変身カー玩具を用いた遊び装置は、カー１０と、カード２０と、発射台３００と、で構成される。
前記カー１０は、下部に任意のカード２０が付着されると、分離可能に結合されたカー１０の胴体の一部が分離され、前記分離されたカー１０の胴体の一部が床面を加圧し、前記カー１０が直立されまたは転覆され、前記付着されたカード２０の裏面を露出させる。
【００６７】
前記カード２０は、四角形状の部材であって、任意のキャラクターまたはゲーム情報等が印刷された表面には、コート層が形成され、内部は、磁性体または金属板部材で構成される。
【００６８】
前記発射台３００は、カー１０が任意の方向に走行するように加圧する構成であり、発射台胴体３１０と、レール３２０と、ボタン部３３０と、加圧部３４０と、コイルばね３５０と、で構成される。
【００６９】
前記発射台胴体３１０は、四角形状の部材であって、内部にボタン部３３０と、加圧部３４０と、コイルばね３５０とが収納されるように中空が形成され、前記ボタン部３３０と加圧部３４０の一部が発射台胴体３１０を貫通するように貫通孔３１１が形成される。
【００７０】
前記レール３２０は、発射台胴体３１０の一側から一定の長さだけ延長されて設置され、カー１０が任意の方向に走行するように経路を案内し、前記カー１０がレール３２０の任意の位置に臨時に固定されるように溝部３２１が形成される。
【００７１】
前記溝部３２１には、カー１０の後輪が位置し、カー１０がレール３２０上において固定されるようにする。
【００７２】
前記ボタン部３３０は、発射台胴体３１０の上部に設けられ、コイルばね３５０を圧縮するために移動した加圧部３４０をロック解除させる構成であって、ボタン部ラッチ３３１とボタン部回転軸３３２と、で構成される。
【００７３】
前記ボタン部ラッチ３３１は、加圧部３４０と噛み合い、任意の位置に固定されるようにする。
【００７４】
前記ボタン部回転軸３３２は、ボタン部３３０が発射台胴体３１０の内部に回転可能に支持され、前記ボタン部３３０が使用者により押圧されると、ボタン部ラッチ３３１が上方向に移動するようになる。
【００７５】
前記加圧部３４０は、発射台胴体３１０の内側に設けられ、水平方向に移動し、コイルばね３５０の弾性力でカー１０を加圧する構成であって、加圧部胴体の上部には、加圧部ラッチ３４１が形成される。
【００７６】
前記加圧部ラッチ３４１は、ボタン部ラッチ３３１と噛み合い、加圧部３４０がコイルばね３５０を圧縮した状態を維持可能にする。
【００７７】
前記コイルばね３５０は、発射台胴体３１０の内側に設けられ、カーを加圧するための弾性力を加圧部３４０に与える。
【００７８】
以下、本発明による変身カー玩具を用いた遊び装置の動作過程について説明する。
【００７９】
外部に突出した加圧部３４０を加圧し、発射台胴体３１０の内側に押すと、一定の距離だけ移動し、加圧部ラッチ３４１とボタン部ラッチ３３１が噛み合うことにより、ロック状態となるようにし、前記加圧部３４０の胴体により、コイルばね３５０は圧縮した状態となる。
【００８０】
以降、レール３２０の溝部３２１に後輪が位置するように、カー１０を配置した後、カード２０が配置された方向にカー１０を走行させるために、前記レール３２０の方向を設定する。
【００８１】
前記設定が完了すると、使用者がボタン部３３０を押圧し、ボタン部ラッチ３３１と加圧部ラッチ３４１との間のロックを解除させる。
【００８２】
前記ロックが解除されると、コイルばね３５０の弾性力により、加圧部３４０は、カー１０を後ろから加圧し、設定された方向に走行し、走行中にカー１０の底面にカード２０が付着されると、分離可能に結合された前記カー１０の胴体の一部が分離され、前記分離されたカー１０の胴体の一部が床面を加圧し、前記カー１０を直立させまたは転覆させ、前記カー１０の底面に付着されたカード２０の床面を露出させる。
【００８３】
以上、本発明の好適な実施例に基づき説明したが、当該技術の分野における熟練した当業者であれば、下記の特許請求の範囲に記載の本発明の思想及び領域から逸脱しない範囲内で、本発明を様々に修正及び変更可能なことが理解されるべきである。
【００８４】
また、本発明の実施例を説明する過程において、図示の線の厚さや構成要素の大きさ等は、説明の明瞭性と便宜のために、誇張して図示されることがあり、上述した用語は、本発明における機能を考慮して定義された用語であって、これは、使用者、運用者の意図または慣例により異なるので、このような用語については、本明細書の全般にわたった内容に基づいて定義されなければならない。
【符号の説明】
【００８５】
１０    カー
２０    カード
１００    上部ハウジング
１１０    上部胴体部
１１１    上部胴体ヒンジ部
１１２    上部胴体ヒンジ部
１１３    内部胴体部
１１４    ロック部貫通孔
１２０    第１ボンネット部
１２１    ボンネットロック部
１３０    第２ボンネット部
１３１    ボンネットロック部
１４０    車輪部
１５０    車輪回転軸
１６０    ボンネット回転軸
１７０    ボンネットトーションばね
２００    下部ハウジング
２１０    下部胴体部
２１１    下部胴体ヒンジ部
２１１’    貫通孔
２１２    作動バーヒンジ部
２１３    下部胴体貫通孔
２１４    上部トーションばね挿入溝
２２０    支持板
２２１    支持板ヒンジ部
２２２    下部トーションばね挿入溝
２２３    支持板ロック溝
２３０    支持板回転軸
２４０    支持板トーションばね
２５０    作動バー
２５１    作動バー胴体
２５２    接着部収納溝
２５３    支持板ラッチ
２５４    ボンネットラッチ
２５５    作動バーレバー
２６０    接着部
２７０    作動バー回転軸
２８０    作動バートーションばね
３００    発射台
３１０    発射台胴体
３１１    貫通孔
３２０    レール
３２１    溝部
３３０    ボタン部
３３１    ボタン部ラッチ
３３２    ボタン部回転軸
３４０    加圧部
３４１    加圧部ラッチ
３５０    コイルばね
【図１】
0005887428.tif 000002
【図２】
0005887428.tif 000003
【図３】
0005887428.tif 000004
【図４】
0005887428.tif 000005
【図５】
0005887428.tif 000006
【図６】
0005887428.tif 000007
【図７】
0005887428.tif 000008
【図８】
0005887428.tif 000009
【図９】
0005887428.tif 000010
【図１０】
0005887428.tif 000011
【図１１】
0005887428.tif 000012